(57)【要約】  【課題】  認証情報の管理業務に負荷をかけずに新たな認証情報を登録することができる入退室システムを提供する。  【解決手段】  部屋端末２は、認証情報が記録された認証カードから認証情報を読み取る認証情報読取手段１０と、部屋のドア錠の開放が許可される認証情報を記憶する認証情報記憶手段１１と、認証情報記憶手段１１に記憶された認証情報に基づいて認証情報読取手段１０によって読み取られた認証情報を認証する認証手段１２と、認証情報読取手段１０によって読み取られた認証情報が部屋のドア錠の開放が許可された認証情報であると認証手段１２によって認証された場合には部屋のドア錠を開放する部屋ドア錠開放手段１３と、認証情報記憶手段１１および端末管理装置５の認証情報記憶手段４１に新たな認証情報を登録する認証情報登録手段１４とを備える。【選択図】  図１
2005120788.tif 000002
【特許請求の範囲】
【請求項１】
認証カードに記録された認証情報に基づいて建造物の部屋のドア錠を開放する部屋端末と、前記認証情報に基づいて前記建造物の玄関のドア錠を開放する玄関端末とを備え、
前記部屋端末は、前記部屋のドア錠の開放および前記玄関端末による前記建造物の玄関のドア錠の開放が許可される新たな認証情報を登録する認証情報登録手段を有することを特徴とする入退室システム。
【請求項２】
前記部屋端末は、前記部屋のドア錠の開放および前記玄関端末による前記建造物の玄関のドア錠の開放が許可される認証情報を削除する認証情報削除手段を有することを特徴とする請求項１に記載の入退室システム。
【請求項３】
建造物の部屋の入口付近に設けられた部屋端末と、前記建造物の玄関の入口付近に設けられた玄関端末と、前記部屋端末および前記玄関端末を管理する端末管理装置とを備え、
前記部屋端末は、認証情報が記録された認証カードから前記認証情報を読み取る第１の認証情報読取手段と、前記部屋のドア錠の開放が許可される認証情報を記憶する第１の認証情報記憶手段と、前記第１の認証情報記憶手段に記憶された認証情報に基づいて前記第１の認証情報読取手段によって読み取られた認証情報を認証する第１の認証手段と、前記第１の認証情報読取手段によって読み取られた認証情報が前記部屋のドア錠の開放が許可された認証情報であると前記第１の認証手段によって認証された場合には前記部屋のドア錠を開放する部屋ドア錠開放手段と、前記第１の認証情報記憶手段に新たな認証情報を登録する認証情報登録手段とを有し、
前記玄関端末は、前記認証カードから前記認証情報を読み取る第２の認証情報読取手段を有し、
前記端末管理装置は、前記建造物の玄関のドア錠の開放が許可される認証情報および前記第１の認証情報記憶手段に新たに登録された認証情報を記憶する第２の認証情報記憶手段と、前記第２の認証情報記憶手段に記憶された認証情報に基づいて前記第２の認証情報読取手段によって読み取られた認証情報を認証する第２の認証手段とを有し、
前記玄関端末は、前記第２の認証情報読取手段によって読み取られた認証情報が前記建造物の玄関のドア錠の開放が許可された認証情報であると前記第２の認証手段によって認証された場合には前記建造物の玄関のドア錠を開放する玄関ドア錠開放手段を有することを特徴とする入退室システム。
【請求項４】
前記部屋端末は、前記第１の認証情報記憶手段および前記第２の認証情報記憶手段から認証情報を削除する認証情報削除手段を有することを特徴とする請求項３に記載の入退室システム。
【請求項５】
前記建造物に設置された昇降機内部に設けられた昇降機端末を備え、
前記昇降機端末は、前記認証カードから前記認証情報を読み取る第３の認証情報読取手段を有し、
前記第２の認証手段は、前記第２の認証情報記憶手段に記憶された認証情報に基づいて前記第３の認証情報読取手段によって読み取られた認証情報をさらに認証し、
前記昇降機端末は、前記第３の認証情報読取手段によって読み取られた認証情報が前記建造物の玄関のドア錠の開放が許可された認証情報であると前記第２の認証手段によって認証された場合には前記昇降機の利用を許可する昇降機利用許可手段を有することを特徴とする請求項３または請求項４に記載の入退室システム。
【請求項６】
建造物の部屋の入口付近に設けられ、認証情報が記録された認証カードから前記認証情報を読み取る認証情報読取手段と、
前記部屋のドア錠の開放が許可される認証情報を記憶する認証情報記憶手段と、
前記認証情報記憶手段に記憶された認証情報に基づいて前記認証情報読取手段によって読み取られた認証情報を認証する認証手段と、
前記認証情報読取手段によって読み取られた認証情報が前記部屋のドア錠の開放が許可された認証情報であると前記認証手段によって認証された場合には前記部屋のドア錠を開放する部屋ドア錠開放手段と、
前記認証カードに記録された認証情報に基づいて前記建造物の玄関のドア錠を開放する玄関端末を管理する端末管理装置、および前記認証情報記憶手段に新たな認証情報を登録する認証情報登録手段とを備えたことを特徴とする部屋端末。
【請求項７】
前記端末管理装置および前記認証情報記憶手段から認証情報を削除する認証情報削除手段を備えたことを特徴とする請求項６に記載の部屋端末。
【請求項８】
建造物の玄関のドア錠の開放が許可される認証情報を記憶する認証情報記憶手段と、認証カードに記録された認証情報を前記認証情報記憶手段に記憶された認証情報に基づいて認証する認証手段とを備え、
前記認証情報記憶手段は、認証カードに記録された認証情報に基づいて前記建造物の部屋のドア錠を開放する部屋端末で新たに登録された認証情報を記憶するようにしたことを特徴とする端末管理装置。
【請求項９】
前記認証情報記憶手段は、前記部屋端末で削除された認証情報を削除するようにしたことを特徴とする請求項８に記載の端末管理装置。
【発明の詳細な説明】
【技術分野】
【０００１】
本発明は、入退室システムに関し、例えば、マンションの住戸のドア錠およびマンションのエントリーホールのドア錠を認証カードに記録された認証情報に基づいて開放する入退室システムに関するものである。
【背景技術】
【０００２】
従来の入退室システムは、図７に示すように、各部屋５０に設けられたカードリーダ５１によって読み込まれた情報を管理本部５２に送信し、管理本部５２からの制御信号によって各部屋５０の錠を開放することによって、管理本部５２で各部屋５０の錠を集中管理するものがある（例えば特許文献１参照）。
【特許文献１】実開平４−６２７６９号公報
【発明の開示】
【発明が解決しようとする課題】
【０００３】
しかしながら、従来の入退室システムにおいては、新たな認証情報の登録が管理本部で管理人等によって行われるため、認証情報の管理業務に負荷がかかるといった問題があった。
【０００４】
本発明は、従来の問題を解決するためになされたもので、認証情報の管理業務に負荷をかけずに新たな認証情報を登録することができる入退室システムを提供することを目的とする。
【課題を解決するための手段】
【０００５】
本発明の入退室システムは、認証カードに記録された認証情報に基づいて建造物の部屋のドア錠を開放する部屋端末と、前記認証情報に基づいて前記建造物の玄関のドア錠を開放する玄関端末とを備え、前記部屋端末は、前記部屋のドア錠の開放および前記玄関端末による前記建造物の玄関のドア錠の開放を許可する新たな認証情報を登録する認証情報登録手段を有している。
【０００６】
この構成により、建造物の部屋のドア錠の開放を許可する新たな認証情報を部屋端末で登録することによって建造物の玄関のドア錠の開放を許可する新たな認証情報が登録されるため、認証情報の管理業務に負荷をかけずに新たな認証情報を登録することができる。
【０００７】
また、本発明の入退室システムは、前記部屋端末は、前記部屋のドア錠の開放および前記玄関端末による前記建造物の玄関のドア錠の開放が許可される認証情報を削除する認証情報削除手段を有している。
【０００８】
この構成により、建造物の部屋のドア錠の開放が許可される認証情報を部屋端末で削除することによって建造物の玄関のドア錠の開放が許可される認証情報が削除されるため、認証情報の管理業務に負荷をかけずに新たな認証情報を削除することができる。
【０００９】
また、本発明の入退室システムは、建造物の部屋の入口付近に設けられた部屋端末と、前記建造物の玄関の入口付近に設けられた玄関端末と、前記部屋端末および前記玄関端末を管理する端末管理装置とを備え、前記部屋端末は、認証情報が記録された認証カードから前記認証情報を読み取る第１の認証情報読取手段と、前記部屋のドア錠の開放が許可される認証情報を記憶する第１の認証情報記憶手段と、前記第１の認証情報記憶手段に記憶された認証情報に基づいて前記第１の認証情報読取手段によって読み取られた認証情報を認証する第１の認証手段と、前記第１の認証情報読取手段によって読み取られた認証情報が前記部屋のドア錠の開放が許可された認証情報であると前記第１の認証手段によって認証された場合には前記部屋のドア錠を開放する部屋ドア錠開放手段と、前記第１の認証情報記憶手段に新たな認証情報を登録する認証情報登録手段とを有し、前記玄関端末は、前記認証カードから前記認証情報を読み取る第２の認証情報読取手段を有し、前記端末管理装置は、前記建造物の玄関のドア錠の開放が許可される認証情報および前記第１の認証情報記憶手段に新たに登録された認証情報を記憶する第２の認証情報記憶手段と、前記第２の認証情報記憶手段に記憶された認証情報に基づいて前記第２の認証情報読取手段によって読み取られた認証情報を認証する第２の認証手段とを有し、前記玄関端末は、前記第２の認証情報読取手段によって読み取られた認証情報が前記建造物の玄関のドア錠の開放が許可された認証情報であると前記第２の認証手段によって認証された場合には前記建造物の玄関のドア錠を開放する玄関ドア錠開放手段を有している。
【００１０】
この構成により、建造物の部屋のドア錠の開放を許可する新たな認証情報を部屋端末で登録することによって建造物の玄関のドア錠の開放を許可する新たな認証情報が登録されるため、認証情報の管理業務に負荷をかけずに新たな認証情報を登録することができる。
【００１１】
また、本発明の入退室システムは、前記部屋端末は、前記第１の認証情報記憶手段および前記第２の認証情報記憶手段から認証情報を削除する認証情報削除手段を有している。
【００１２】
この構成により、建造物の部屋のドア錠の開放が許可される認証情報を部屋端末で削除することによって建造物の玄関のドア錠の開放が許可される認証情報が削除されるため、認証情報の管理業務に負荷をかけずに新たな認証情報を削除することができる。
【００１３】
また、本発明の入退室システムは、前記建造物に設置された昇降機内部に設けられた昇降機端末を備え、前記昇降機端末は、前記認証カードから前記認証情報を読み取る第３の認証情報読取手段を有し、前記第２の認証手段は、前記第２の認証情報記憶手段に記憶された認証情報に基づいて前記第３の認証情報読取手段によって読み取られた認証情報をさらに認証し、前記昇降機端末は、前記第３の認証情報読取手段によって読み取られた認証情報が前記建造物の玄関のドア錠の開放が許可された認証情報であると前記第２の認証手段によって認証された場合には前記昇降機の利用を許可する昇降機利用許可手段を有している。
【００１４】
この構成により、建造物の部屋のドア錠の開放を許可する新たな認証情報を部屋端末で登録したり、登録された認証情報を削除したりすることによって建造物に設けられた昇降機の利用を許可する新たな認証情報が登録されたり、登録された認証情報が削除されたりするため、認証情報の管理業務に負荷をかけずに新たな認証情報を登録または登録された認証情報を削除することができる。
【００１５】
また、本発明の部屋端末は、建造物の部屋の入口付近に設けられ、認証情報が記録された認証カードから前記認証情報を読み取る認証情報読取手段と、前記部屋のドア錠の開放が許可される認証情報を記憶する認証情報記憶手段と、前記認証情報記憶手段に記憶された認証情報に基づいて前記認証情報読取手段によって読み取られた認証情報を認証する認証手段と、前記認証情報読取手段によって読み取られた認証情報が前記部屋のドア錠の開放が許可された認証情報であると前記認証手段によって認証された場合には前記部屋のドア錠を開放する部屋ドア錠開放手段と、前記認証カードに記録された認証情報に基づいて前記建造物の玄関のドア錠を開放する玄関端末を管理する端末管理装置、および前記認証情報記憶手段に新たな認証情報を登録する認証情報登録手段とを備えた構成を有している。
【００１６】
この構成により、建造物の部屋のドア錠の開放を許可する新たな認証情報を部屋端末で登録することによって建造物の玄関のドア錠の開放を許可する新たな認証情報が登録されるため、認証情報の管理業務に負荷をかけずに新たな認証情報を登録することができる。
【００１７】
また、本発明の部屋端末は、前記端末管理装置および前記認証情報記憶手段から認証情報を削除する認証情報削除手段を備えた構成を有している。
【００１８】
この構成により、建造物の部屋のドア錠の開放が許可される認証情報を部屋端末で削除することによって建造物の玄関のドア錠の開放が許可される認証情報が削除されるため、認証情報の管理業務に負荷をかけずに新たな認証情報を削除することができる。
【００１９】
また、本発明の端末管理装置は、建造物の玄関のドア錠の開放が許可される認証情報を記憶する認証情報記憶手段と、認証カードに記録された認証情報を前記認証情報記憶手段に記憶された認証情報に基づいて認証する認証手段とを備え、前記認証情報記憶手段は、認証カードに記録された認証情報に基づいて前記建造物の部屋のドア錠を開放する部屋端末で新たに登録された認証情報を記憶するように構成されている。
【００２０】
この構成により、建造物の部屋のドア錠の開放を許可する新たな認証情報を部屋端末で登録することによって建造物の玄関のドア錠の開放を許可する新たな認証情報が登録されるため、認証情報の管理業務に負荷をかけずに新たな認証情報を登録することができる。
【００２１】
また、本発明の端末管理装置は、前記認証情報記憶手段は、前記部屋端末で削除された認証情報を削除するように構成されている。
【００２２】
この構成により、建造物の部屋のドア錠の開放が許可される認証情報を部屋端末で削除することによって建造物の玄関のドア錠の開放が許可される認証情報が削除されるため、認証情報の管理業務に負荷をかけずに新たな認証情報を削除することができる。
【発明の効果】
【００２３】
本発明は、建造物の部屋のドア錠の開放および建造物の玄関のドア錠の開放を許可する新たな認証情報を登録する認証情報登録手段を部屋端末に設けることにより、認証情報の管理業務に負荷をかけずに新たな認証情報を登録することができる入退室システムを提供することができるものである。
【発明を実施するための最良の形態】
【００２４】
以下、本発明の実施の形態について、図面を参照して説明する。
【００２５】
本発明の一実施の形態の入退室システムを図１に示す。
【００２６】
図１において、入退室システム１は、マンション等の建造物内に形成された部屋に入るための入口付近に設けられた部屋端末２と、建造物に設けられた玄関に入るための入口付近に設けられた玄関端末３と、建造物に設置された昇降機内部に設けられた昇降機端末４と、部屋端末２、玄関端末３および昇降機端末４を管理する端末管理装置５とを備えている。
【００２７】
なお、入退室システム１は、部屋の入口の数に応じた部屋端末２と、建造物の玄関の入口の数に応じた玄関端末３と、建造物に設置された昇降機の数に応じた昇降機端末４とを備えるが、本実施形態においては、３つの部屋端末２と、１つの玄関端末３と、１つの昇降機端末４とを備えるものとして以下説明する。また、本発明において、部屋とは、マンション等の集合住宅の住戸のように複数の部屋からなるものも含む。
【００２８】
部屋端末２は、認証情報が記録された認証カードから認証情報を読み取る認証情報読取手段１０と、部屋のドア錠の開放が許可される認証情報を記憶する認証情報記憶手段１１と、認証情報記憶手段１１に記憶された認証情報に基づいて認証情報読取手段１０によって読み取られた認証情報を認証する認証手段１２と、認証情報読取手段１０によって読み取られた認証情報が部屋のドア錠の開放が許可された認証情報であると認証手段１２によって認証された場合には部屋のドア錠を開放する部屋ドア錠開放手段１３とを備えている。
【００２９】
ここで、認証カードは磁気カードによって構成されていてもよく、ＩＣチップを有するＩＣカードによって構成されていてもよい。なお、入退室システム１に適用される認証カードは、認証情報が記録され、認証情報読取手段１０が認証情報を読み取ることができるものであればよく、認証カードの形状はカード状のものでなくともよい。また、認証カードは、情報の書込みが不可能な記録媒体を有し、容易に複製することができないものが好ましい。
【００３０】
認証情報読取手段１０は、部屋のドア外面または部屋の入口付近の外壁に設置されており、認証カードから認証情報を読み取るカードリーダを備えている。例えば、認証カードがＩＣカードによって構成されている場合には、認証情報読取手段１０を構成するカードリーダは、電磁波を送出し、部屋に入ろうとする利用者が認証カードを接近させた場合に、送出した電磁波によって駆動された認証カードによって送信される認証情報を受信することによって認証情報を読み取るようになっている。
【００３１】
認証情報記憶手段１１は、不揮発性の記憶媒体を有している。認証情報記憶手段１１には、少なくとも１つの認証情報が記憶されており、このうちの１つの認証情報は、各部屋の管理者が所有する認証カードに記録されており、以下の説明では、単に「マスタ情報」という。
【００３２】
認証手段１２は、認証情報読取手段１０によって読み込まれた認証情報と一致する認証情報が認証情報記憶手段１１に記憶されているか否かに基づいて認証情報読取手段１０によって読み込まれた認証情報を認証するようになっている。
【００３３】
すなわち、認証情報記憶手段１１に記憶された認証情報と同一の認証情報が認証情報読取手段１０によって読み込まれた場合には、部屋ドア錠開放手段１３によって部屋のドア錠が開放され、利用者が部屋の外から中に入ることができる。
【００３４】
また、部屋端末２は、認証情報記憶手段１１に新たな認証情報を登録する認証情報登録手段１４と、認証情報記憶手段１１から認証情報を削除する認証情報削除手段１５と、端末管理装置５と通信を行う通信手段１６とを備えている。
【００３５】
認証情報登録手段１４は、認証情報記憶手段１１に新たに登録した認証情報を端末管理装置５に通信手段１６を介して送信するようになっている。なお、本実施形態において、認証情報登録手段１４は、登録の開始を表す登録開始信号および登録の終了を表す登録終了信号が入力されるトグルスイッチなどの入力部を有し、登録開始信号が入力され、認証情報読取手段１０によって読み込まれた認証情報がマスタ情報として認証手段１２によって認証されたときから登録終了信号が入力されるまで、新たな認証情報を登録することができるようになっている。
【００３６】
認証情報削除手段１５は、認証情報記憶手段１１から削除した認証情報を端末管理装置５に通信手段１６を介して送信するようになっている。なお、本実施形態において、認証情報削除手段１５は、削除の開始を表す削除開始信号が入力されるプッシュスイッチなどの入力部を有し、削除開始信号が入力され、認証情報読取手段１０によって読み込まれた認証情報がマスタ情報として認証手段１２によって認証された後に、他の認証情報を削除することができるようになっている。なお、認証情報記憶手段１１に記憶されたマスタ情報は、認証情報削除手段１５によって削除できないようになっている。
【００３７】
玄関端末３は、認証カードから認証情報を読み取る認証情報読取手段２１と、建造物の玄関のドア錠を開放する玄関ドア錠開放手段２２と、端末管理装置５と通信を行う通信手段２３とを備えている。
【００３８】
認証情報読取手段２１は、玄関のドア外面または玄関の入口付近の外壁に設置されており、認証情報読取手段１０を構成するものと同様な構成のカードリーダを備えている。また、認証情報読取手段２１は、読み取った認証情報を端末管理装置５に通信手段２３を介して送信するようになっている。
【００３９】
玄関ドア錠開放手段２２は、認証情報読取手段２１によって送信された認証情報の端末管理装置５による認証結果に基づいて玄関のドア錠を開放するようになっている。すなわち、認証情報読取手段２１によって読み込まれた認証情報が端末管理装置５によって正当なものであると認証された場合には、玄関ドア錠開放手段２２によって玄関のドア錠が開放され、利用者が建造物の外から中に入ることができる。
【００４０】
昇降機端末４は、認証カードから認証情報を読み取る認証情報読取手段３１と、昇降機端末４が設置された昇降機の利用を許可する昇降機利用許可手段３２と、端末管理装置５と通信を行う通信手段３３とを備えている。
【００４１】
認証情報読取手段３１は、昇降機のケージ内壁に設置されており、認証情報読取手段１０を構成するものと同様な構成のカードリーダを備えている。また、認証情報読取手段３１は、読み取った認証情報を端末管理装置５に通信手段３３を介して送信するようになっている。
【００４２】
昇降機利用許可手段３２は、認証情報読取手段３１によって送信された認証情報の端末管理装置５による認証結果に基づいて昇降機の利用を許可し、例えば、昇降機の行先指定ボタンを有効にするようになっている。すなわち、認証情報読取手段３１によって読み込まれた認証情報が端末管理装置５によって正当なものであると認証された場合には、昇降機利用許可手段３２によって昇降機の利用が許可され、利用者が昇降機で所望の階に移動することができる。
【００４３】
端末管理装置５は、建造物の玄関のドア錠の開放が許可される認証情報を記憶する認証情報記憶手段４１と、認証情報記憶手段４１に記憶された認証情報に基づいて認証情報読取手段２１、３１によって読み取られた認証情報をそれぞれ認証する認証手段４２と、部屋端末２、玄関端末３および昇降機端末４と通信を行う通信手段４３とを備えている。
【００４４】
認証情報記憶手段４１は、不揮発性の記憶媒体を有している。認証情報記憶手段４１は、認証情報登録手段１４によって送信された新たに認証情報記憶手段１１に登録された認証情報を記憶するようになっている。また、認証情報記憶手段４１は、認証情報削除手段１５によって送信された認証情報記憶手段１１から削除された認証情報を削除するようになっている。
【００４５】
認証手段４２は、通信手段２３、３３によってそれぞれ送信された認証情報を認証するようになっており、認証した認証結果を玄関端末３および昇降機端末４に通信手段４３を介してそれぞれ送信するようになっている。
【００４６】
すなわち、認証情報登録手段１４によって登録された新たな認証情報は、玄関のドア錠の開放、および昇降機の利用が許可される。一方、認証情報削除手段１５によって削除された認証情報は、玄関のドア錠の開放、および昇降機の利用が禁止される。
【００４７】
以上のように構成された入退室システム１について、図２乃至図６を用いてその動作を説明する。
【００４８】
図２は、部屋端末２の認証動作の説明のためのフロー図である。
【００４９】
まず、認証情報読取手段１０によって認証カードから認証情報が読み取られると（Ｓ１）、読み取られた認証情報が認証情報記憶手段１１に記憶された認証情報に基づいて認証手段１２によって認証される（Ｓ２）。認証情報読取手段１０によって読み取られた認証情報が部屋のドア錠の開放が許可された認証情報であると認証手段１２によって認証された場合には、部屋のドア錠が部屋ドア錠開放手段１３によって開放される（Ｓ３）。
【００５０】
図３は、玄関端末３および端末管理装置５の認証動作の説明のためのフロー図である。なお、図３において、左側のフローは玄関端末３の動作を示し、右側のフローは端末管理装置５の動作を示している。また、図３以降に示すフロー図では、本実施形態の理解のために情報の送信と受信との対応が点線で示されている。
【００５１】
まず、認証情報読取手段２１によって認証カードから認証情報が読み取られると（Ｓ１１）、読み取られた認証情報が認証情報読取手段２１によって通信手段２３を介して端末管理装置５に送信される（Ｓ１２）。
【００５２】
認証情報読取手段２１によって送信された認証情報は、通信手段４３を介して認証手段４２によって受信され（Ｓ１３）、受信された認証情報が認証情報記憶手段４１に記憶された認証情報に基づいて認証手段４２によって認証される（Ｓ１４）。次に、認証手段４２によって認証された認証結果は、玄関端末３に通信手段４３を介して送信される（Ｓ１５）。
【００５３】
認証手段４２によって送信された認証結果は、通信手段２３を介して玄関ドア錠開放手段２２によって受信され（Ｓ１６）、認証情報読取手段２１によって読み取られた認証情報が玄関のドア錠の開放が許可された認証情報であると玄関ドア錠開放手段２２によって受信された認証結果に示されている場合には（Ｓ１７）、玄関のドア錠が玄関ドア錠開放手段２２によって開放される（Ｓ１８）。
【００５４】
なお、ステップＳ１８において、玄関のドア錠が玄関ドア錠開放手段２２によって開放された後に、玄関端末３は、昇降機を玄関が設けられた階に昇降機を移動させるよう呼出信号を昇降機に送信するようにしてもよい。
【００５５】
図４は、昇降機端末４および端末管理装置５の認証動作の説明のためのフロー図である。なお、図４において、左側のフローは昇降機端末４の動作を示し、右側のフローは端末管理装置５の動作を示している。
【００５６】
まず、認証情報読取手段３１によって認証カードから認証情報が読み取られると（Ｓ２１）、読み取られた認証情報が認証情報読取手段３１によって通信手段３３を介して端末管理装置５に送信される（Ｓ２２）。
【００５７】
認証情報読取手段３１によって送信された認証情報は、通信手段４３を介して認証手段４２によって受信され（Ｓ２３）、受信された認証情報が認証情報記憶手段４１に記憶された認証情報に基づいて認証手段４２によって認証される（Ｓ２４）。次に、認証手段４２によって認証された認証結果は、昇降機端末４に通信手段４３を介して送信される（Ｓ２５）。
【００５８】
認証手段４２によって送信された認証結果は、通信手段３３を介して昇降機利用許可手段３２によって受信され（Ｓ２６）、認証情報読取手段３１によって読み取られた認証情報が玄関のドア錠の開放が許可された認証情報であると昇降機利用許可手段３２によって受信された認証結果に示されている場合には（Ｓ２７）、昇降機端末４が設置された昇降機の利用が昇降機利用許可手段３２によって許可される（Ｓ２８）。
【００５９】
図５は、部屋端末２および端末管理装置５の認証情報登録動作の説明のためのフロー図である。なお、図５において、左側のフローは部屋端末２の動作を示し、右側のフローは端末管理装置５の動作を示している。
【００６０】
まず、認証情報登録手段１４を介して登録開始信号が入力され、認証情報読取手段３１によって認証カードから認証情報が読み取られると（Ｓ３１）、読み取られた認証情報が認証情報記憶手段１１に記憶された認証情報に基づいて認証手段１２によってマスタ情報であるか否かの認証が行われる（Ｓ３２）。
【００６１】
認証情報読取手段３１によって読み取られた認証情報がマスタ情報であると認証された場合には、認証情報登録手段１４を介して登録終了信号が入力されたか否かが認証情報登録手段１４によって判断され（Ｓ３３）、登録終了信号が入力されていないと判断された場合には、認証情報読取手段３１によって新たに登録する認証カードから新たな認証情報が読み取られる（Ｓ３４）。
【００６２】
一方、登録終了信号が入力されたと認証情報登録手段１４によって判断された場合には、認証情報読取手段３１によって読み取られた新たな認証情報が認証情報登録手段１４によって認証情報記憶手段１１に登録され（Ｓ３５）、認証情報記憶手段１１に登録された認証情報が認証情報登録手段１４によって通信手段１６を介して端末管理装置５に送信される（Ｓ３６）。
【００６３】
認証情報登録手段１４によって送信された新たな認証情報は、通信手段４３を介して認証情報記憶手段４１によって受信され（Ｓ３７）、受信された新たな認証情報が認証情報記憶手段４１に登録される（Ｓ３８）。
【００６４】
図６は、部屋端末２および端末管理装置５の認証情報削除動作の説明のためのフロー図である。なお、図５において、左側のフローは部屋端末２の動作を示し、右側のフローは端末管理装置５の動作を示している。
【００６５】
まず、認証情報削除手段１５を介して削除開始信号が入力され、認証情報読取手段３１によって認証カードから認証情報が読み取られると（Ｓ４１）、読み取られた認証情報が認証情報記憶手段１１に記憶された認証情報に基づいて認証手段１２によってマスタ情報であるか否かの認証が行われる（Ｓ４２）。
【００６６】
認証情報読取手段３１によって読み取られた認証情報がマスタ情報であると認証された場合には、認証情報記憶手段１１に記憶されたマスタ情報を除く認証情報が認証情報削除手段１５によって削除され（Ｓ４３）、認証情報記憶手段１１から削除された認証情報が認証情報削除手段１５によって通信手段１６を介して端末管理装置５に送信される（Ｓ４４）。
【００６７】
認証情報削除手段１５によって送信された認証情報は、通信手段４３を介して認証情報記憶手段４１によって受信され（Ｓ４５）、受信された認証情報が認証情報記憶手段４１から削除される（Ｓ４６）。
【００６８】
以上で説明した入退室システム１において、部屋端末２、玄関端末３および昇降機端末４は、画像、文字、光および音声のうち少なくとも１つを以って操作の案内や認証結果の報知等を行う出力手段をそれぞれ備えてもよい。
【００６９】
また、入退室システム１において、部屋端末２を構成する認証手段１２を端末管理装置５に設けるようにしてもよく、認証手段１２と認証手段４２とを一体に構成してもよい。
【００７０】
また、入退室システム１を構成する各構成要素は、上記で説明した各動作を記述したプログラムを中央処理装置（Central Processing Unit、以下単に「ＣＰＵ」という。）に実行させるようにしてもよい。
【００７１】
すなわち、部屋端末２において、認証手段１２、部屋ドア錠開放手段１３、認証情報登録手段１４、および認証情報削除手段１５は、上記プログラムを実行するＣＰＵによって構成するようにしてもよい。
【００７２】
また、玄関端末３を構成する玄関ドア錠開放手段２２、昇降機端末４を構成する昇降機利用許可手段３２、および端末管理装置５を構成する認証手段４２は、上記プログラムをそれぞれ実行する各ＣＰＵによって構成するようにしてもよい。
【００７３】
このような本発明の一実施の形態の入退室システム１によれば、建造物の部屋のドア錠の開放および建造物の玄関のドア錠の開放を許可する新たな認証情報を登録する認証情報登録手段１４を部屋端末２に設けることにより、認証情報の管理業務に負荷をかけずに新たな認証情報を登録することができる。
【００７４】
また、入退室システム１によれば、建造物の部屋のドア錠の開放および建造物の玄関のドア錠の開放を許可する認証情報を削除する認証情報削除手段１５を部屋端末２に設けることにより、認証情報の管理業務に負荷をかけずに登録された認証情報を削除することができる。
【産業上の利用可能性】
【００７５】
以上のように、本発明にかかる入退室システムは、建造物の部屋のドア錠の開放および建造物の玄関のドア錠の開放を許可する新たな認証情報を登録する認証情報登録手段を部屋端末に設けることにより、認証情報の管理業務に負荷をかけずに新たな認証情報を登録することができるという効果を有し、マンションの住戸のドア錠およびマンションのエントリーホールのドア錠を認証カードに記録された認証情報に基づいて開放する入退室システム等として有用である。
【図面の簡単な説明】
【００７６】
【図１】本発明の一実施の形態における入退室システムのブロック図
【図２】本発明の一実施の形態における部屋端末の認証動作説明のためのフロー図
【図３】本発明の一実施の形態における玄関端末および端末管理装置の認証動作説明のためのフロー図
【図４】本発明の一実施の形態における昇降機端末および端末管理装置の認証動作説明のためのフロー図
【図５】本発明の一実施の形態における部屋端末および端末管理装置の認証情報登録動作説明のためのフロー図
【図６】本発明の一実施の形態における部屋端末および端末管理装置の認証情報削除動作説明のためのフロー図
【図７】従来の入退室システムのブロック図
【符号の説明】
【００７７】
１  入退室システム
２  部屋端末
３  玄関端末
４  昇降機端末
５  端末管理装置
１０、２１、３１  認証情報読取手段
１１、４１  認証情報記憶手段
１２、４２  認証手段
１３  部屋ドア錠開放手段
１４  認証情報登録手段
１５  認証情報削除手段
１６、２３、３３、４３  通信手段
２２  玄関ドア錠開放手段
３２  昇降機利用許可手段
５０  部屋
５１  カードリーダ
５２  管理本部
【図１】
2005120788.tif 000003
【図２】
2005120788.tif 000004
【図３】
2005120788.tif 000005
【図４】
2005120788.tif 000006
【図５】
2005120788.tif 000007
【図６】
2005120788.tif 000008
【図７】
2005120788.tif 000009